(57)【要約】【課題】  束になったレジ袋を開封しやすくして、１袋ずつ取り出せるレジ袋供給装置を提供する。【解決手段】加圧板５の引っ掛けピン５ａに掛止された束になったレジ袋３は、加圧ばね１２によって加圧板５を介し加圧円板６に圧接している。摩擦係数の小さい加圧円板６の回転時は、加圧円板６とレジ袋３間では空回りするが、加圧円板６の半径より大きく摩擦係数の大きい半月ローラ７は、まずレジ袋３の上部の切れ目を破り、続けて下部を破り、破られた１袋は排出ローラで取り出し口に排出されるように構成されている。【選択図】図４
2018177366.tif 000002
【特許請求の範囲】
【請求項１】
掛止穴を有し、耳部に切れ目のある束になったレジ袋を加圧板の引掛けピンに引掛け、レジ袋に圧接する円板と同軸に半月ローラを設け、半月ローラの回転で、初めにレジ袋の耳部の切れ目のある上面を引き破り、引き続き下面を引き破る半月ローラを備えたことを特徴とするレジ袋給送装置
【請求項２】
上記請求項目１の装置において、加圧板の下方に加圧された排出ローラを設け、半月ローラの線速より早い線速にしたことを特徴とするレジ袋給送装置。
【請求項３】
上記請求項目１，２の装置において、所定の取り出し口にレジ袋有無のセンサーを設けることで、取出し口のレジ袋が取除かれる毎に自動的に次のレジ袋が給装されることを特徴とするレジ袋給送装置。
【発明の詳細な説明】
【技術分野】
【０００１】  本発明は、束になったレジ袋から一袋ずつ切り離したレジ袋をユーザーが容易に取り出せる装置であって、自動梱包等の機器にも自動給送できる装置に関するものである。
【背景技術】
【０００２】  コンビニエンスストアやスーパーマーケットなどでは、店員が束になったレジ袋から１袋ずつレジ袋を取り出し、販売した商品をレジ袋に入れてお客に手渡したり、取り出したレジ袋を商品と一緒にお客に手渡したりしている。【０００３】  レジ袋は薄いポリエチレン等が使用されているため、静電気によってレジ袋が貼り付き、レジ袋の束から自動的に１袋ずつ取り出す方式の装置化が困難であった。【０００４】  そのため、束になったレジ袋を二つ折りにして収納し、手で１枚ずつレジ袋を取り出す方式が考案されている。（例えば特許文献１参照）【０００５】  また、レジ袋の３か所に掛止穴を設け、耳部に切れ目のある束になったレジ袋を保持具に装備しておき、まず掛止部の手前を手で引き破り、引き破った箇所を手で掴んでレジ袋を広げて商品の収納を行う方式が考案されている。（例えば特許文献２参照）
【先行技術文献】
【特許文献】
【０００６】
【特許文献１】特開２０１５−２１７９７２号  公報
【特許文献２】特開２００７−６９９５３号  公報
【発明の概要】
【発明が解決しようとする課題】
【０００７】  レジ袋を装着した束から手作業によって１袋ずつ取り出す方式では、店頭のお客相手では作業効率が悪い。また、レジ袋を保持具に装備して、レジ袋を手で広げる方式は、店頭に保持具設置のスペースが必要となる欠点がある。【０００８】  本発明は、耳部に切れ目のあるレジ袋の束を、１袋ずつ半月ローラで耳部切れ目の上側を破り、次に下側を破り自動搬送することで、静電気の貼り付きを弱くしたレジ袋を１袋ずつ自動的に取り出せる。また、梱包装置を備えた次工程の装置へ搬送ができるレジ袋自動給送装置として提供できることを目的とする。
【課題を解決するための手段】
【０００９】  上記目的を達成するため、本発明は以下の構成を要旨とするものである。【００１０】  掛止穴を有し、耳部に切れ目のある束になったレジ袋を加圧板の引掛けピンに引掛け、レジ袋に圧接する円板と同軸に半月ローラを設け、半月ローラの回転で、初めにレジ袋の耳部の切れ目のある上面を引き破り、引き続き下面を引き破る半月ローラを備えたことを特徴とするレジ袋給送装置【００１１】  前記方式の装置において、加圧板の下方に加圧された排出ローラを設け、半月ローラの線速より早い線速にしたことを特徴とするレジ袋給送装置。【００１２】  前記方式の装置において、所定の取り出し口にレジ袋有無のセンサーを設けることで、取出し口のレジ袋が取除かれる毎に自動的に次のレジ袋が給送されることを特徴とするレジ袋給送装置。
【発明の効果】
【００１３】  本発明によるレジ袋給送装置では、従来行われてきた手作業でレジ袋を取り出す方法ではなく自動的に１袋ずつ取り出すことができる。まず半月ローラでレジ袋の耳部の切れ目の上側を引き破り、引き続き下側を引き破る搬送方法により、レジ袋を１袋ずつ搬送し、上面と下面にズレが生じることで、レジ袋を開く時の静電気による貼り付きの除去ができ、レジ袋を容易に開くことができる。【００１４】  また、加圧板の下方に設けた排出ローラで、引き破られた１袋のレジ袋を任意の位置まで搬送し、定められた取出し口にスタックできる。【００１５】  取出し口のスタック箇所にレジ袋有無のセンサーを設置し、スタックされたレジ袋を取り除くとセンサーが作動して次のレジ袋が継続して自動的な給送・スタックが可能となる。
【図面の簡単な説明】
【００１６】
【図１】  レジ袋を１袋ずつ排出するレジ袋給送装置の外観図
【図２】  耳部に掛止穴を有し、切れ目のあるレジ袋の外観図
【図３】  本発明の実施形態を示す斜視図
【図４】  本発明の実施形態を示す断面図
【図５】  本発明の実施形態の作用を示す説明図
【発明を実施するための形態】
【００１７】  以下、本発明によるレジ袋給送装置の実施形態を図によって説明する。
【００１８】  図１は、本発明装置の１実施例の外観図であって、図２で示すレジ袋３が束になって装着されており、操作ボタン２を押すたびにレジ袋３は、レジ袋給送装置のカバー１の下部取り出し口４に１袋ずつ排出される。
【００１９】  図２に示すレジ袋３は、持手部３ｄの中央に掛止穴３ｃを有し、切れ目３ｂを持つ耳３ａを有しており、レジ袋３は通常１００袋束の構成で市販されている。
【００２０】  図３は本発明の束になったレジ袋３を１袋ずつ給送する装置の斜視図、図４は断面図を示す。
【００２１】  レジ袋３の束を掛止めする引掛けピン５ａを装備した加圧板５は、加圧板支持軸１１を支点として加圧ばね１２によって、レジ袋３の束を加圧円板６、半月ローラ７を介して加圧している。加圧板５の排出側には排出ローラ１０が配置されており、排出ローラ軸９を介して、加圧板５に加圧回転できるよう構成されている。
【００２２】  本発明装置への束になったレジ袋３の装着は、加圧円板６、半月ローラ７および排出ローラ１０の加圧は解除され、束になったレジ袋３を加圧板５の引掛けピン５ａに装着できる構成となっている。
【００２３】  加圧板５に装備された引掛けピン５ａに束になったレジ袋３の掛止穴３ｃを掛止し、レジ袋３の持手部３ｄは、加圧板５の上端に引掛け、加圧板５の裏側に垂らし、加圧板５へ束になったレジ袋３の装着を行う。
【００２４】  図５は、加圧板５に束になって装着されたレジ袋３を１袋ずつ給送する説明拡大図で、加圧板５に装着されたレジ袋３の給送方法についての説明を行う。
【００２５】  レジ袋３は、加圧ばね１２によって、樹脂や金属板などで作られた比較的摩擦の低い加圧円板６に圧接されており、ゴム製の摩擦の大きい半月ローラ７が同軸８上に固定されている。半月ローラ７の外径は、加圧円板６の半径よりも大きく設定されている。
【００２６】  図５において、束になって装着されたレジ袋３の最上部の１袋を拡大して本発明の給送方法を図示説明する。
【００２７】  図５（ａ）において、加圧板５に装備された引掛けピン５ａに束になったレジ袋３が掛止され、加圧円板６は加圧ばね１２によって加圧されている。レジ袋３の切れ目３ｂは引掛けピン５ａと加圧円板６の間に配置されている。
【００２８】  加圧円板６が矢印方向に回転すると、レジ袋３の切れ目３ｂは切れることなく加圧円板６は空回りする。
【００２９】  図５（ｂ）において、加圧円板６の半径より外径の大きいゴム製の摩擦の大きい半月ローラ７がレジ袋３を矢印方向に接触回転すると、レジ袋３の上部の切れ目３ｂから切断され下流に押し出される。
【００３０】  図５（ｃ），（ｄ）において、更に半月ローラ７の回転により、レジ袋３の下部の切れ目３ｂが切断される。レジ袋３は上部と下部を切断されて半月ローラ７で押し出される。押し出されたレジ袋３は、加圧円板６と加圧板５の下流に配置された排出ローラ軸９に設けられた排出ローラ１０で、あらかじめ定められた図１に示す取り出し口４まで排出される。
【００３１】  本発明によれば、レジ袋３の切れ目３ｂを半月ローラ７でまず上部を切断し、次に下部を切断して送ることにより、上面と下面の静電気などによる密着を剥がして給送するため、レジ袋３の開封が容易となる。
【００３２】  また、図１に示すカバー１の取り出し口４の位置に、図示されていないレジ袋３の有無センサーを設置することで、スタックしているレジ袋３を取り除くと、レジ袋３の自動給送ができる。
【００３３】  また、本発明の装置は、図３、図４に示す排出ローラ１０より、コンビニエンスストアやスーパーマーケットの店頭に設置する自動商品梱包等の機器へ、レジ袋３を１袋ずつ自動供給するレジ袋自動給送装置として使用することができる。
【符号の説明】
【００３４】  １    カバー
２    操作ボタン
３    レジ袋
３ａ  耳
３ｂ  切れ目
３ｃ  掛止穴
３ｄ  持手部
４    取り出し口
５    加圧板
５ａ  引掛けピン
６    加圧円板
７    半月ローラ
１０    排出ローラ
１２    加圧ばね
【図１】
2018177366.tif 000003
【図２】
2018177366.tif 000004
【図３】
2018177366.tif 000005
【図４】
2018177366.tif 000006
【図５】
2018177366.tif 000007